(57)【要約】【課題】  反射板の天板部と断面Ｖ形のカバーとの間の隙間を、簡単な構成で目立たなくすることができる照明器具を提供する。【解決手段】  天板部4aを有する反射板4に一対の側板を連結して下方に開口された反射体3を備え、この反射体の外側にシャーシ11を連結し、このシャーシの上板部11aの幅方向中央部にボルト通孔を設ける。断面Ｖ形で外側面が反射面をなすとともにボルト通孔を覆うカバー21を備え、このカバーの長手方向両端部のみを天板部4aに取付けて、一対の側板にわたって天板部の下面にカバー21を配設する。反射体3内でカバー21の両側に複数のソケット25を配設し、これらソケットに片口金形の蛍光ランプ27を支持する。蛍光ランプ27の自重が天板部4aの幅方向中央部に加わるように天板部4aにランプホルダ29を固定し、このホルダに蛍光ランプ27の長手方向中央部を支持して、天板部4aをカバー21に密接させるようにしたことを特徴としている。【選択図】図６
2011222425.tif 000002
【特許請求の範囲】
【請求項１】
天板部を有する反射板及びこの反射板の幅方向両端に夫々連結された一対の側板を備えて下方に開口されているとともに、この開口を囲む天井係合縁部を有した反射体と；
前記天板部の外面に対向する上板部を有して前記反射体に連結されるとともに、前記上板部の幅方向中央部にボルト通孔が設けられたシャーシと；
断面Ｖ形で外側面が反射面をなしているとともに、長手方向両端部のみを前記天板部に取付けて前記ボルト通孔を下方から覆って前記一対の側板にわたって前記反射体内に配設されたカバーと；
前記反射体内で前記カバーの両側に配設された複数のソケットと；
これらソケットの夫々に支持された片口金形のランプと；
これらランプの自重が前記天板部の幅方向中央部に加わるように前記天板部に固定されて前記ランプの長手方向中央部を支持するランプホルダと；
を具備することを特徴とする照明器具。
【請求項２】
前記反射体の前記一対の側板間の開口寸法をＷとした場合、前記ソケットから0.35Ｗ〜0.65Ｗの範囲に前記ランプホルダが配置されていることを特徴とする請求項１に記載の照明器具。
【発明の詳細な説明】
【技術分野】
【０００１】
本発明は、天井裏の吊りボルトを用いて埋め込み設置される照明器具に関する。
【背景技術】
【０００２】
器具本体及びこの器具本体に取付けられる反射体を含む本体を備え、この反射体を、反射板と両端の端板とで下面開口の枠状に形成するとともに、この反射板の器具本体に取付けられた天板部内面に、両外側面を反射面とした断面Ｖ字形のカバーを取付け、このカバーによって区画されたランプ配設領域に片口金形ランプを配置した埋め込み形の照明器具が、従来技術として知られている（例えば、特許文献１参照。）。
【０００３】
この照明器具では、器具本体の下面一端縁部に配置されたソケットで片口金形ランプの口金部を支持するとともに、天板部内面に配設されたランプホルダでランプの発光管の先端側近傍を支持することにより、ランプが両端支持された形態で天板部の下側に取付けられている。又、この照明器具は、天井板の上方の天井構造物に配設された吊りボルトに器具本体を取付けて、天井に埋め込み設置されるように構成されている。
【先行技術文献】
【特許文献】
【０００４】
【特許文献１】特開２００７−２９４３１６号公報
【発明の概要】
【発明が解決しようとする課題】
【０００５】
特許文献１に記載の照明器具が埋め込み設置される際、反射板と一体化された器具本体を吊りボルトに取付けるに伴い、このボルトが通された部位が吊りボルトに螺合されたナットで押上げられる。そのため、前記部位を中心に器具本体が上向きに湾曲するように変形され、その変形は器具本体にねじ止め等により連結された反射体にも波及する。それにより、器具本体より薄肉の反射体が有した反射板の天板部が上向きに湾曲するようにたわんで変形される。この変形は、ランプ数が多く反射板の天板部の面積が大きい程、及び吊りボルトに対するナットの締め付けが強いほど顕在化する。
【０００６】
こうした天板部のたわみ変形に伴い、この天板部内面に取付けられている断面Ｖ形のカバーと天板部との間に隙間が形成されることがあり、このようになると、器具体裁が低下する、という課題がある。
【０００７】
したがって、本発明の目的は、反射板の天板部と断面Ｖ形のカバーとの間の隙間を、簡単な構成で目立たなくすることができる照明器具を提供することにある。
【課題を解決するための手段】
【０００８】
前記課題を解決するために、請求項１の発明の照明器具は、天板部を有する反射板及びこの反射板の幅方向両端に夫々連結された一対の側板を備えて下方に開口されているとともに、この開口を囲む天井係合縁部を有した反射体と；前記天板部の外面に対向する上板部を有して前記反射体に連結されるとともに、前記上板部の幅方向中央部にボルト通孔が設けられたシャーシと；断面Ｖ形で外側面が反射面をなしているとともに、長手方向両端部のみを前記天板部に取付けて前記ボルト通孔を下方から覆って前記一対の側板にわたって前記反射体内に配設されたカバーと；前記反射体内で前記カバーの両側に配設された複数のソケットと；これらソケットの夫々に支持された片口金形のランプと；これらランプの自重が前記天板部の幅方向中央部に加わるように前記天板部に固定されて前記ランプの長手方向中央部を支持するランプホルダと；を具備することを特徴としている。
【０００９】
本発明は、ランプを２本以上用いる埋め込み形の照明器具に適用することができ、２灯用照明器具の場合カバーの使用数は１個で、このカバーの両側にランプが夫々配設される。３灯用照明器具の場合カバーの使用数は２個で、これらカバーとランプは交互に並べて配設される。４灯用の照明器具の場合カバーの使用数は２個であるが、これらカバー間に２本のランプが配設され、一方のカバーを境に前記２本のランプと反対側に他の１本のランプが配設されるとともに、他方のカバーを境に前記２本のランプと反対側に更に他の１本のランプが配設される。又、本発明の照明器具は、反射体の開口の下部又は下側にバッフルや透光性カバー等の制光体を付加した配置とすることも可能である。
【００１０】
請求項１の発明で、互いの連結により一体化されているシャーシと反射体が天井等に埋め込み設置された状態では、反射体が備えた反射板の天板部が上向きに湾曲するようにたわんで変形されるので、この設置後にカバーが天板部の下面に両端支持された状態に取付けられると、このカバーと反射板の天板部との間に隙間が形成される。
【００１１】
しかし、ソケットに支持された片口金形のランプの長手方向中央部が、反射板の天板部に固定されたランプホルダで支持されるので、ランプの自重が天板部の幅方向中央部に加わる。それにより、天板部がカバーに密接するように変形されて、前記隙間を目立たなくできる。しかも、そのために、隙間を隠す目隠し部材を備える必要がないとともに、天板部に目隠し部を構成する必要がなく、ランプホルダの位置を選定するだけの簡単な構成で実現できる。
【００１２】
請求項２の発明は、請求項１の発明において、前記反射体の前記一対の側板間の開口寸法をＷとした場合、前記ソケットから0.35Ｗ〜0.65Ｗの範囲に前記ランプホルダが配置されていることを特徴としている。
【００１３】
この請求項２の発明では、ランプホルダが既述の範囲内でランプを支持できるように天板部に取付けられているので、天板部の上向きの湾曲量が大きい箇所に、ランプの自重が加えられる。それにより、天板部を断面Ｖ形のカバーに密接するように変形させて、天板部とカバーとの間の隙間を目立たなくすることができる
【発明の効果】
【００１４】
請求項１，２の発明の照明器具によれば、吊りボルトに支持されるシャーシに連結された反射体が備える反射板の天板部と、この天板部の下面に取付けられた断面Ｖ形のカバーとの間の隙間を、簡単な構成で目立たなくすることができる、という効果がある。
【図面の簡単な説明】
【００１５】
【図１】本発明の一実施形態に係る照明器具を上方から見た状態で示す斜視図である。
【図２】図１の照明器具を示す下面図である。
【図３】図１の照明器具をその一部を分解し下方から見た状態で示す斜視図である。
【図４】図１の照明器具が備える反射体をこれに固定された部品とともに示す分解斜視図である。
【図５】図１の照明器具を示す断面図である。
【図６】図５中Ｆ６−Ｆ６線に沿って示す断面図である。
【発明を実施するための形態】
【００１６】
以下、本発明の一実施形態について、図１〜図６を参照して詳細に説明する。
【００１７】
図中符号１は天井Ｃに埋め込み設置される例えば４灯式の照明器具を示している。この照明器具１は、反射体３と、シャーシ１１と、カバー２１と、複数例えば４個のソケット２５と、ソケット２５と同数のランプ例えば片口金形の蛍光ランプ２７と、複数例えば４個のランプホルダ２９等を具備している。
【００１８】
図４に示すように反射体３は、いずれも後述するシャーシ１１よりも薄い（例えば板厚0.5ｍｍ）鋼板からなる反射板４と一対の側板９とを、下方に開口する容器状に組立てて形成されている。この反射体３の内面は反射面となっている。
【００１９】
反射板４は、水平状で四角い天板部４ａ、この天板部４ａの互に平行な一組の第１側縁に連続して斜めに折り曲げられた側板部４ｂ、及びこれら側板部４ｂの先端縁に連続して折り曲げられ上方に開放する溝を形成した天井係合縁部４ｃを有している。図５に示すように一対の側板部４ｂはハの字形に配設されている。
【００２０】
天板部４ａの幅方向両端に位置された他の一組の第２側縁のうちの一方に、複数のソケット通し部５が設けられている。これらソケット通し部５の数は、例えば３個であるが、本実施形態の照明器具１は４灯用であるので、真ん中のソケット通し部５は後述するソケット２５を２個通し得る大きさに形成されている。
【００２１】
天板部４ａの前記第２側縁のうちの一方の近傍に第１のカバー支持部６が複数設けられているとともに、前記第２側縁のうちの他方の近傍に第２のカバー支持部７が複数設けられている。第１のカバー支持部６の夫々は、プレス加工により天板部４ａの下面から突出されて四角形状をなした一対の膨出部位６ａからなり、それらの一側は開口されていて、これら対をなした膨出部位６ａの開口は向かい合っている。同様に、第２のカバー支持部７の夫々も、プレス加工により天板部４ａの下面から突出されて四角形状をなした一対の膨出部位７ａからなり、それらの一側は開口されていて、対をなした膨出部位７ａの開口は向かい合っている。
【００２２】
天板部４ａには、前記第１側縁が延びる方向（つまり、天板部４ａの幅方向）に離間された第１のカバー支持部６と第２のカバー支持部７との間に位置して長孔８が開口されている。長孔８は後述するカバー２１と同数設けられる。
【００２３】
前記一対の側板９は、反射板４の幅方向両端に夫々図示しない連結ねじを用いて連結されている。これら側板９は、その下端に連続して折り曲げられ上方に開放する溝を形成した天井係合縁部９ａを有している。天井係合縁部９ａの両端は前記天井係合縁部４ｃに連続している。それにより、図２等に示すように天井係合縁部４ｃ及び天井係合縁部９ａは反射体３の下方開口を囲んで四角枠状に設けられている。
【００２４】
前記シャーシ１１は反射体３をなしている鋼板より厚い鋼板で形成されていて、図１及び図５に示すように上板部１１ａ及びこの両端から折り曲げられた側板部１１ｂを有している。シャーシ１１は反射体３の外面に図示しない連結ねじで連結されている。互の連結により一体化されたシャーシ１１と反射体３とは器具本体１０を形成している。
【００２５】
このシャーシ１１の上板部１１ａは、図５及び図６に示すように反射板４の天板部４ａの外面に近接対向して天板部４ａを覆っており、側板部１１ｂの夫々は図５に示すように反射板４の側板部４ｂに対向してこれら側板部４ｂを覆っている。
【００２６】
図１に示すように上板部１１ａには、後述するカバー２１と同数のボルト通孔１２、通孔１３、及び電線通孔１４が、天板部４ａの長孔８と対向して開口されている。ボルト通孔１２は、上板部１１ａの幅方向中央部に設けられているとともに、円形孔部１２ａ及びこれに連続した孔部１２ｂからなり、孔部１２ｂは円形孔部１２ａの径より細くかつ円形孔部１２ａからその半径方向に突出するように設けられている。通孔１３は放熱用であり、天井裏に配線された電源線が通される電線通孔１４は、ボルト通孔１２を境に通孔１３と反対側に設けられている。
【００２７】
図３に示すようにシャーシ１１の上板部１１ａの下面に点灯装置１６が取付けられている。この点灯装置ｌ６は、側板部１１ｂと、反射板４の側板部４ｂと、この側板部４ｂに上方から向かい合った上板部１１ａとの間に形成された断面略三角形状の空間に収容されている。点灯装置１６として例えばインバータ回路を有した電子安定器が使用されている。更に、図３に示すようにシャーシ１１の上板部１１ａの下面に端子台１８が取付けられている。端子台１８は一方の長孔８に対向している。
【００２８】
前記カバー２１は、鋼板を断面Ｖ形（図３及び図５参照）に折り曲げてなり、その外側面は反射面をなしている。カバー２１は、その上縁を互に遠ざかる方向に張り出すように折り曲げられたフランジ２１ａを有している。フランジ２１ａは、カバー２１の長手方向略全長にわたって延びていて、その長手方向両端部に係合片２２（図６参照）を夫々有している。これら係合片２２は、フランジ２１ａの両端部に切り込みを一対入れることにより、これら切り込み間の部位で形成されている。
【００２９】
カバー２１は、一対の側板９にわたって、つまり、カバー２１の長手方向両端が側板９の内面に夫々接するような状態で、その長手方向両端部のみを天板部４ａに取付けて、反射体３の内部に配設されている。天板部４ａの下面に対するカバー２１の取付けは、その長手方向一端部に有した一対の係合片２２を、第１のカバー支持部６をなした一対の膨出部位６ａに夫々挿入して引掛けるとともに、長手方向他端部に有した他の一対の係合片２２を、第２のカバー支持部７をなした一対の膨出部位７ａに夫々挿入して引掛けることでなされている。こうして両端部のみが支持された状態のカバー２１は前記長孔８を下方から覆っている。そのため、長孔８に露出されたボルト通孔１２、通孔１３、電線通孔１４、及び端子台１８等はカバー２１で覆われている。
【００３０】
図２及び図６等に示すように上板部１１ａの幅方向一端部に複数のソケット２５が取付けられている。これらソケット２５のうちの２個は真ん中のソケット通し部５に通されており、残り２個のソケット２５は前記真ん中のソケット通し部５の両側に設けられたソケット通し部５に夫々通されている。それにより、図２に示すように反射体３の幅方向一端部の内側において、２個のソケット２５が一方のカバー２１の一端部の両側に配設されているとともに、他の２個のソケット２５が他方のカバー２１の一端部の両側に配設されている。
【００３１】
各蛍光ランプ２７は、図３等に示すように発光管２７ａの長手方向一端部に口金部２７ｂを取付けて形成されていて、その全長は図６等に示すように一対の側板９間の距離（後述の開口寸法Ｗ）より短めである。これら４本の蛍光ランプ２７の口金部２７ｂはソケット２５の夫々に着脱可能に支持されている。それにより、蛍光ランプ２７は反射体３の内部でカバー２１の両側に夫々配設されている。
【００３２】
更に、各蛍光ランプ２７の長手方向中央部はランプホルダ２９により天板部４ａに支持されている。ランプホルダ２９は蛍光ランプ２７と同数備えられ、図４〜図６に示すよう天板部４ａに固定されている。
【００３３】
これらランプホルダ２９は、天板部４ａの幅方向中央部に蛍光ランプ２７の自重を加えることができる位置、即ち、図２及び図６に示すように反射体３が有した一対の側板９間の開口寸法をＷとした場合、ソケット２５から0.35Ｗ〜0.65Ｗの範囲Ｅに配置されている。天板部４ａの幅方向中央部は、照明器具１が天井Ｃに取付けられた状態で天板部４ａの中で最もたわみが大きくなる部位であるとともに、この部位の上方に長孔８が対向している。
【００３４】
こうしたランプホルダ２９の配置を言い換えれば、天板部４ａの幅方向に関して、ソケット２５が近接された一方の側板９からＷ/3の範囲Ｆ及び蛍光ランプ２７の発光管２７ａの先端が接近された他方の側板９からＷ/3の範囲Ｇを除いた範囲Ｅに位置して、ランプホルダ２９が天板部４ａに取付けられている。
【００３５】
より具体的には、ランプホルダ２９は、前記範囲Ｅの中でも、図６に示すように蛍光ランプ２７の先端部、つまり、発光管２７ａの先端部と後述する吊りボルトとの間であって、吊りボルト３１側に寄せて、天板部４ａに取付けられている。更に、この配置を、カバー２１を支持する第１のカバー支持部６と第２のカバー支持部７を基準に言い換えれば、ランプホルダ２９は、前記範囲Ｅの中でも蛍光ランプ２７の口金部２７ｂ側に配設されている第１のカバー支持部６よりも蛍光ランプ２７の先端部に配設されている第２のカバー支持部７側に寄せて、天板部４ａに取付けられている
次に、前記構成の照明器具１を天井Ｃに埋め込み設置する手順を説明する。
【００３６】
まず、点灯装置１６、端子台１８、及びソケット２５等が取付けられたシャーシ１１と、ランプホルダ２９が取付けられた反射体３とを連結して器具本体１０を形成する。
【００３７】
この後、器具本体１０を、天井Ｃに設けられている四角い器具設置開口Ｄに下方から上向きに挿入して、そのシャーシ１１のボルト通孔１２に、天井スラブ等に固定されて天井裏に配置されている吊りボルト３１の下部を上方から下方に貫通させる。
【００３８】
この場合、吊りボルト３１の下端部には、ボルト通孔１２の円形孔部１２ｂより小径でかつ孔部１２ｂより大径なワッシャ３２が予め嵌合されているとともに、ナット３３が螺合されている。このナット３３によりワッシャ３２が脱落止めされている。そのため、前記貫通に際しては、初めに円形孔部１２ｂにワッシャ３２付きの吊りボルト３１の下端部を通した後に、ワッシャ３２が孔部１２ｂの下側に配置されるように、吊りボルト３１の下端部とボルト通孔１２の相対位置を変える。それにより、ワッシャ３２がシャーシ１１の上板部１１ａの下面に引っ掛かって、器具本体１０が仮に保持される。この保持状態で、吊りボルト３１は反射板４の長孔８を貫通し反射体３の内側に入り込んでいる。
【００３９】
次に、この状態で、ナット３３を回転させて締め付ける。それにより、器具本体１０が上向きに移動されるとともに、反射体３の天井係合縁部４ｃ，９ａが天井Ｃの器具設置開口Ｄの縁部下面に引っ掛けられる。そして、ナット３３を更に強く締め付けることにより器具本体１０が天井Ｃに埋め込み設置される。
【００４０】
こうした設置の際、ナット３３の押上げ作用により、シャーシ１１の上板部１１ａはそのボルト通孔１２を中心に上向きに湾曲するように変形される。これとともに、この変形の影響がシャーシ１１と一体化されている反射体３の反射板４に波及するので、この反射板４の天板部４ａが上向きに湾曲するようにたわみ変形されることがある。
【００４１】
又、器具本体１０の設置後に反射体３の内部にその下方からカバー２１が取付けられる。カバー２１の取付けは、その長手方向一端部の係合片２２を第１のカバー支持部６に挿入して支持させるとともに、長手方向他端部の係合片２２を第２のカバー支持部７に挿入して支持させることで実施する。それにより、カバー２１は、天板部４ａの下面に両端部のみが支持された状態に取付けられる。このカバー２１により、長孔８及びこの長孔８に通された吊りボルト３１、並びに端子台１８等からソケット２５に至る器具内配線（図示しない）が覆い隠される。
【００４２】
既述のように反射板４の天板部４ａが上向きに湾曲するようにたわんで変形されている場合、天板部４ａと、その下面に取付けられたカバー２１との間に隙間が形成される。
【００４３】
しかし、この後、反射体３内に片口金形の蛍光ランプ２７が取付けられて、照明器具１の天井Ｃへの取付けが完了す。それに伴い、前記隙間を目立たなくすることができる。
【００４４】
即ち、蛍光ランプ２７の口金部２７ｂをソケット２５に斜め上向きに挿入して接続した後、ソケット２５を支点に蛍光ランプ２７を上向きに回動させて、この蛍光ランプ２７の発光管２７ａの長手方向中央部をランプホルダ２９に係合させることにより、蛍光ランプ２７が取付けられる。
【００４５】
こうしてソケット２５に支持された蛍光ランプ２７の長手方向中央部が、天板部４ａに固定されたランプホルダ２９で支持されるので、蛍光ランプ２７の自重がランプホルダ２９を介して天板部４ａの幅方向中央部に加わる。この場合、反射体３の一対の側板９間の開口寸法をＷとした場合、ソケット２５から0.35Ｗ〜0.65Ｗの範囲Ｅにランプホルダ２９が配置されているので、天板部４ａの上向きの湾曲量（たわみ量）が大きい箇所に、蛍光ランプ２７の自重を加えることができる。それにより、天板部４ａの中央部のたわみが矯正されカバー２１に密接するように変形されるので、前記隙間を目立たなくすることができる。
【００４６】
又、本発明者による試験の結果によれば、前記範囲Ｅから外れた範囲Ｆ又はＧにランプホルダ２９を配置した構成では、ランプホルダ２９が天板部４ａとカバー２１との接続部に近過ぎるために、蛍光ランプ２７の重さが天板部４ａに加わるにも拘らず、天板部４ａの上向きのたわみ変形を十分に矯正できないことが分かった。更に、前記Ｆの範囲にランプホルダ２９を配置した構成では、蛍光ランプ２７の支持性能が低下してその先端部が振れ易くなることも分かった。したがって、図６に示した位置にランプホルダ２９が配置された構成では、蛍光ランプ２７の支持性能を抑制しつつ、前記隙間が目立たなくできる点で好ましい。
【００４７】
しかも、前記隙間を目立たなくために、隙間を隠す目隠し部材を備える必要がないとともに、天板部４ａに目隠し部を構成する必要がなく、ランプホルダ２９の位置を選定するだけの簡単な構成で実現できる。
【００４８】
又、前記埋め込み設置において、蛍光ランプ２７を器具本体１０に取付けた後に、カバー２１を反射板４の天板部４ａに取付けてもよい。この場合、蛍光ランプ２７が取付けられることで、既述のように天板部４ａの上向きのたわみ変形が十分に矯正されるに伴い、第１のカバー支持部６と第２のカバー支持部７が傾かないようになるので、天板部４ａの下面にカバー２１を容易に取付けることができる。
【符号の説明】
【００４９】
１…照明器具、３…反射体、４…反射板、４ａ…天板部、４ｃ…天井係合縁部、６…第１のカバー支持部、７…第２のカバー支持部、９…側板、９ａ…天井係合縁部、１０…器具本体、１１…シャーシ、１１ａ…上板部、１２…ボルト通孔、２１…カバー、２２…係合片、２５…ソケット、２７…蛍光ランプ、２９…ランプホルダ、Ｅ…範囲、３１…吊りボルト
【図１】
2011222425.tif 000003
【図２】
2011222425.tif 000004
【図３】
2011222425.tif 000005
【図４】
2011222425.tif 000006
【図５】
2011222425.tif 000007
【図６】
2011222425.tif 000008